(57)【要約】【課題】印刷物としてのカーボンコピーを用途別に異なる出力トレイに出力するための印刷システム、印刷装置、印刷設定方法および印刷設定プログラムを提供する。【解決手段】本発明にかかる印刷システムは、原稿データから派生させて用途別に形成された複数種類の画像データに基づいて印刷物を形成する印刷システムであって、形成された印刷物を出力するための出力先である複数の出力部と、印刷物の用途毎に異なる出力部を指定する出力部指定手段とを有する。【選択図】図５
2012043012.tif 000002
【特許請求の範囲】
【請求項１】
原稿データから派生させて用途別に形成された複数種類の画像データに基づいて印刷物を形成する印刷システムであって、
形成された前記印刷物を出力するための出力先である複数の出力部と、
前記印刷物の用途毎に前記出力部の指定を受付けると共に、異なる用途の印刷物に対する重複した前記出力部の指定を制限する出力部指定手段と、
を有する印刷システム。
【請求項２】
用途毎の前記画像データについて、印刷物を形成して前記出力部から出力する順番の指定を受け付け、当該出力順に前記出力部から前記印刷物を出力させる出力順指定手段をさらに有する請求項１に記載の印刷システム。
【請求項３】
前記出力順指定手段は、用途別の前記印刷物のうち即使用予定の印刷物の指定を受け付け、当該即使用予定の印刷物を早い前記出力順に設定する請求項２に記載の印刷システム。
【請求項４】
前記出力順指定手段は、前記即使用予定の印刷物を先に前記出力部に出力させ、その他の印刷物については後で読み出せるように保存しておき、任意のタイミングで前記出力部に出力させる請求項３に記載の印刷システム。
【請求項５】
前記出力トレイ毎に排出される印刷物のための後処理について設定するための後処理指定手段をさらに有する請求項１〜４のいずれか一項に記載の印刷システム。
【請求項６】
前記出力部指定手段は、ユーザによる入力を制限するユーザインタフェースとしての、入力された値が設定不可である旨を警告する警告手段、または、選択不可である項目を選択できないようにして表示するメニュー表示手段によって、重複した前記出力部の指定を制限する請求項１〜５のいずれか一項に記載の印刷システム。
【請求項７】
原稿データから派生させて用途別に形成された複数種類の画像データに基づいて印刷物を形成する印刷装置であって、
形成された前記印刷物を出力するための出力先である複数の出力部と、
前記印刷物の用途毎に前記出力部の指定を受付けると共に、異なる用途の印刷物に対する重複した前記出力部の指定を制限する出力部指定手段と、
を有する印刷装置。
【請求項８】
用途毎の前記画像データについて、印刷物を形成して前記出力部から出力する順番の指定を受け付け、当該出力順に前記出力部から前記印刷物を出力させる出力順指定手段をさらに有する請求項７に記載の印刷装置。
【請求項９】
前記出力順指定手段は、用途別の前記印刷物のうち即使用予定の印刷物の指定を受け付け、当該即使用予定の印刷物を早い前記出力順に設定する請求項８に記載の印刷装置。
【請求項１０】
前記出力順指定手段は、前記即使用予定の印刷物を先に前記出力部に出力させ、その他の印刷物については後で読み出せるように保存しておき、任意のタイミングで前記出力部に出力させる請求項９に記載の印刷装置。
【請求項１１】
前記出力トレイ毎に排出される印刷物のための後処理について設定するための後処理指定手段をさらに有する請求項７〜１０のいずれか一項に記載の印刷装置。
【請求項１２】
前記出力部指定手段は、ユーザによる入力を制限するユーザインタフェースとしての、入力された値が設定不可である旨を警告する警告手段、または、選択不可である項目を選択できないようにして表示するメニュー表示手段によって、重複した前記出力部の指定を制限する請求項７〜１１のいずれか一項に記載の印刷装置。
【請求項１３】
原稿データから派生させて用途別に形成された複数種類の画像データに基づいて印刷物を形成する印刷システムまたは印刷装置において、
形成された前記印刷物を出力するための出力先である複数の出力部を指定するステップと、
前記印刷物の用途毎に前記出力部の指定を受付けると共に、異なる用途の印刷物に対する重複した前記出力部の指定を制限するステップと、
を含む印刷設定方法。
【請求項１４】
用途毎の前記画像データについて、印刷物を形成して前記出力部から出力する順番の指定を受け付け、当該出力順に前記出力部から前記印刷物を出力させるステップをさらに含む請求項１３に記載の印刷設定方法。
【請求項１５】
前記出力順指定手段は、用途別の前記印刷物のうち即使用予定の印刷物の指定を受け付け、当該即使用予定の印刷物を早い前記出力順に設定する請求項１４に記載の印刷設定方法。
【請求項１６】
前記出力順指定手段は、前記即使用予定の印刷物を先に前記出力部に出力させ、その他の印刷物については後で読み出せるように保存しておき、任意のタイミングで前記出力部に出力させる請求項１５に記載の印刷設定方法。
【請求項１７】
前記出力トレイ毎に排出される印刷物のための後処理について設定するステップをさらに含む請求項１３〜１６のいずれか一項に記載の印刷設定方法。
【請求項１８】
前記出力部の指定を制限するステップは、ユーザによる入力を制限するユーザインタフェースとしての、入力された値が設定不可である旨を警告する警告手段、または、選択不可である項目を選択できないようにして表示するメニュー表示手段によって、重複した前記出力部の指定を制限する請求項１３〜１７のいずれか一項に記載の印刷設定方法。
【請求項１９】
原稿データから派生させて用途別に形成された複数種類の画像データに基づいて印刷物を形成する印刷システムまたは印刷装置において、
形成された前記印刷物を出力するための出力先である複数の出力部を指定する手順と、
前記印刷物の用途毎に前記出力部の指定を受付けると共に、異なる用途の印刷物に対する重複した前記出力部の指定を制限する手順と、
を含む印刷設定プログラム。
【請求項２０】
用途毎の前記画像データについて、印刷物を形成して前記出力部から出力する順番の指定を受け付け、当該出力順に前記出力部から前記印刷物を出力させる手順をさらに含む請求項１９に記載の印刷設定プログラム。
【請求項２１】
前記出力順指定手段は、用途別の前記印刷物のうち即使用予定の印刷物の指定を受け付け、当該即使用予定の印刷物を早い前記出力順に設定する請求項２０に記載の印刷設定プログラム。
【請求項２２】
前記出力順指定手段は、前記即使用予定の印刷物を先に前記出力部に出力させ、その他の印刷物については後で読み出せるように保存しておき、任意のタイミングで前記出力部に出力させる請求項２１に記載の印刷設定プログラム。
【請求項２３】
前記出力トレイ毎に排出される印刷物のための後処理について設定する手順をさらに含む請求項１９〜２２のいずれか一項に記載の印刷設定プログラム。
【請求項２４】
前記出力部の指定を制限する手順は、ユーザによる入力を制限するユーザインタフェースとしての、入力された値が設定不可である旨を警告する警告手段、または、選択不可である項目を選択できないようにして表示するメニュー表示手段によって、重複した前記出力部の指定を制限する請求項１９〜２３のいずれか一項に記載の印刷設定プログラム。
【請求項２５】
請求項１９〜２４のいずれか一項に記載のプログラムを記録したコンピュータ読み取り可能な記録媒体。
【発明の詳細な説明】
【技術分野】
【０００１】
本発明は、印刷システム、印刷装置および印刷設定方法に関し、特に、印刷物としてのカーボンコピーを用途別に異なる出力トレイに出力するための印刷システム、印刷装置、印刷設定方法および印刷設定プログラムに関する。
【背景技術】
【０００２】
近年、公共施設などにおいて、同一文書について顧客用、処理用および控え用などのように、印刷物としてのカーボンコピー（帳票）を用途別に作成するためのカーボンコピー印刷が利用されている。カーボンコピー印刷物は、印刷物排紙後、用途に適った事務処理ができるように、用途毎の仕分け先に確実に仕分けされることが必要とされている。
【０００３】
カーボンコピー印刷の技術として、同一の文書から用途別のカーボンコピー印刷する際、給紙トレイ毎に個別の印刷データを生成するものがある（特許文献１参照）。
【０００４】
しかしながら、上記の印刷技術では、給紙トレイ毎の印刷データを生成して印刷を行うことができるものの、カーボンコピー毎の用途に合わせて排紙先を設定したり、カーボンコピー毎の印刷タイミングを設定したりすることまでは考慮されていない。
【先行技術文献】
【特許文献】
【０００５】
【特許文献１】特開２００７−２１３３６５号公報
【発明の概要】
【発明が解決しようとする課題】
【０００６】
本願発明は、上記課題に基づいてなされたものである。すなわち、本願発明は、カーボンコピー印刷を行う際、カーボンコピーの用途別に異なる排紙先を設定したり、カーボンコピーの用途別に所望のタイミングで印刷するように設定したりする。こうすることで、本願発明は、カーボンコピーが望まない仕分け先に仕分けされることを確実に防止できる印刷システム、印刷装置、印刷設定方法および印刷設定プログラムを提供することを目的とする。
【課題を解決するための手段】
【０００７】
本発明の上記目的は、下記の手段によって達成される。
【０００８】
（１）原稿データから派生させて用途別に形成された複数種類の画像データに基づいて印刷物を形成する印刷システムであって、形成された前記印刷物を出力するための出力先である複数の出力部と、前記印刷物の用途毎に前記出力部の指定を受付けると共に、異なる用途の印刷物に対する重複した前記出力部の指定を制限する出力部指定手段と、を有する印刷システム。
【０００９】
（２）用途毎の前記画像データについて、印刷物を形成して前記出力部から出力する順番の指定を受け付け、当該出力順に前記出力部から前記印刷物を出力させる出力順指定手段をさらに有する上記（１）に記載の印刷システム。
【００１０】
（３）前記出力順指定手段は、用途別の前記印刷物のうち即使用予定の印刷物の指定を受け付け、当該即使用予定の印刷物を早い前記出力順に設定する上記（２）に記載の印刷システム。
【００１１】
（４）前記出力順指定手段は、前記即使用予定の印刷物を先に前記出力部に出力させ、その他の印刷物については後で読み出せるように保存しておき、任意のタイミングで前記出力部に出力させる上記（３）に記載の印刷システム。
【００１２】
（５）前記出力トレイ毎に排出される印刷物のための後処理について設定するための後処理指定手段をさらに有する上記（１）〜（４）のいずれか一つに記載の印刷システム。
【００１３】
（６）前記出力部指定手段は、ユーザによる入力を制限するユーザインタフェースとしての、入力された値が設定不可である旨を警告する警告手段、または、選択不可である項目を選択できないようにして表示するメニュー表示手段によって、重複した前記出力部の指定を制限する上記（１）〜（５）のいずれか一つに記載の印刷システム。
【００１４】
（７）原稿データから派生させて用途別に形成された複数種類の画像データに基づいて印刷物を形成する印刷装置であって、形成された前記印刷物を出力するための出力先である複数の出力部と、前記印刷物の用途毎に前記出力部の指定を受付けると共に、異なる用途の印刷物に対する重複した前記出力部の指定を制限する出力部指定手段と、を有する印刷装置。
【００１５】
（８）用途毎の前記画像データについて、印刷物を形成して前記出力部から出力する順番の指定を受け付け、当該出力順に前記出力部から前記印刷物を出力させる出力順指定手段をさらに有する上記（７）に記載の印刷装置。
【００１６】
（９）前記出力順指定手段は、用途別の前記印刷物のうち即使用予定の印刷物の指定を受け付け、当該即使用予定の印刷物を早い前記出力順に設定する上記（８）に記載の印刷装置。
【００１７】
（１０）前記出力順指定手段は、前記即使用予定の印刷物を先に前記出力部に出力させ、その他の印刷物については後で読み出せるように保存しておき、任意のタイミングで前記出力部に出力させる上記（９）に記載の印刷装置。
【００１８】
（１１）前記出力トレイ毎に排出される印刷物のための後処理について設定するための後処理指定手段をさらに有する上記（７）〜（１０）のいずれか一つに記載の印刷装置。
【００１９】
（１２）前記出力部指定手段は、ユーザによる入力を制限するユーザインタフェースとしての、入力された値が設定不可である旨を警告する警告手段、または、選択不可である項目を選択できないようにして表示するメニュー表示手段によって、重複した前記出力部の指定を制限する上記（７）〜（１１）のいずれか一つに記載の印刷装置。
【００２０】
（１３）原稿データから派生させて用途別に形成された複数種類の画像データに基づいて印刷物を形成する印刷システムまたは印刷装置において、形成された前記印刷物を出力するための出力先である複数の出力部を指定するステップと、前記印刷物の用途毎に前記出力部の指定を受付けると共に、異なる用途の印刷物に対する重複した前記出力部の指定を制限するステップと、を含む印刷設定方法。
【００２１】
（１４）用途毎の前記画像データについて、印刷物を形成して前記出力部から出力する順番の指定を受け付け、当該出力順に前記出力部から前記印刷物を出力させるステップをさらに含む上記（１３）に記載の印刷設定方法。
【００２２】
（１５）前記出力順指定手段は、用途別の前記印刷物のうち即使用予定の印刷物の指定を受け付け、当該即使用予定の印刷物を早い前記出力順に設定する上記（１４）に記載の印刷設定方法。
【００２３】
（１６）前記出力順指定手段は、前記即使用予定の印刷物を先に前記出力部に出力させ、その他の印刷物については後で読み出せるように保存しておき、任意のタイミングで前記出力部に出力させる上記（１５）に記載の印刷設定方法。
【００２４】
（１７）前記出力トレイ毎に排出される印刷物のための後処理について設定するステップをさらに含む上記（１３）〜（１６）のいずれか一つに記載の印刷設定方法。
【００２５】
（１８）前記出力部の指定を制限するステップは、ユーザによる入力を制限するユーザインタフェースとしての、入力された値が設定不可である旨を警告する警告手段、または、選択不可である項目を選択できないようにして表示するメニュー表示手段によって、重複した前記出力部の指定を制限する上記（１３）〜（１７）のいずれか一つに記載の印刷設定方法。
【００２６】
（１９）原稿データから派生させて用途別に形成された複数種類の画像データに基づいて印刷物を形成する印刷システムまたは印刷装置において、形成された前記印刷物を出力するための出力先である複数の出力部を指定する手順と、前記印刷物の用途毎に前記出力部の指定を受付けると共に、異なる用途の印刷物に対する重複した前記出力部の指定を制限する手順と、を含む印刷設定プログラム。
【００２７】
（２０）用途毎の前記画像データについて、印刷物を形成して前記出力部から出力する順番の指定を受け付け、当該出力順に前記出力部から前記印刷物を出力させる手順をさらに含む上記（１９）に記載の印刷設定プログラム。
【００２８】
（２１）前記出力順指定手段は、用途別の前記印刷物のうち即使用予定の印刷物の指定を受け付け、当該即使用予定の印刷物を早い前記出力順に設定する上記（２０）に記載の印刷設定プログラム。
【００２９】
（２２）前記出力順指定手段は、前記即使用予定の印刷物を先に前記出力部に出力させ、その他の印刷物については後で読み出せるように保存しておき、任意のタイミングで前記出力部に出力させる上記（２１）に記載の印刷設定プログラム。
【００３０】
（２３）前記出力トレイ毎に排出される印刷物のための後処理について設定する手順をさらに含む上記（１９）〜（２２）のいずれか一つに記載の印刷設定プログラム。
【００３１】
（２４）前記出力部の指定を制限する手順は、ユーザによる入力を制限するユーザインタフェースとしての、入力された値が設定不可である旨を警告する警告手段、または、選択不可である項目を選択できないようにして表示するメニュー表示手段によって、重複した前記出力部の指定を制限する上記（１９）〜（２３）のいずれか一つに記載の印刷設定プログラム。
【００３２】
（２５）上記（１９）〜（２４）のいずれか一つに記載のプログラムを記録したコンピュータ読み取り可能な記録媒体。
【発明の効果】
【００３３】
本発明によれば、印刷物としてのカーボンコピーを仕分けする際、所望の仕分け先とは異なる仕分け先にカーボンコピーが仕分けされないように、カーボンコピー毎に排紙先の設定を行うことができ、カーボンコピーを伴う事務処理を的確にすることができる。
【図面の簡単な説明】
【００３４】
【図１】本発明にかかる印刷システムの全体構成を示すブロック図である。
【図２】図１に示されるＰＣの構成を示すブロック図である。
【図３】図１に示されるＭＦＰの構成を示す概略正面図である。
【図４】図１に示されるＭＦＰの構成を示すブロック図である。
【図５】本実施形態にかかるプリンタドライバによる処理のフローチャートである。
【図６】作成されたカーボンコピー画像データの例を示す図である。
【図７】顧客用カーボンコピーについて印刷設定するための印刷設定画面（プリンタドライバ設定画面）の一例を示す図である。
【図８】処理用カーボンコピーについて印刷設定するための印刷設定画面（プリンタドライバ設定画面）の一例を示す図である。
【図９】カーボンコピー印刷設定時のエラー表示画面の一例を示す図である。
【図１０】控え用カーボンコピーについて印刷設定するための印刷設定画面（プリンタドライバ設定画面）の一例を示す図である。
【図１１】画像データおよびカーボンコピー印刷設定が変換されて作成されたＰＤＬの記述例を示す図である。
【図１２】ＰＤＬを受信したプリンタによる処理を示したフローチャートである。
【図１３】作成された印刷物の一例を示す図である。
【図１４】本発明に使用されうるＭＦＰの他の構成を示す概略正面図である。
【図１５】カーボンコピーの出力順を指定するための項目が構成された印刷設定画面（プリンタドライバ設定画面）の一例を示す図である。
【図１６】カーボンコピーの即使用予定について指定するための項目が構成された印刷設定画面（プリンタドライバ設定画面）の一例を示す図である。
【図１７】カーボンコピーを一時的に保存するための項目および排紙タイミングを指定するための項目が構成された印刷設定画面（プリンタドライバ設定画面）の一例を示す図である。
【発明を実施するための形態】
【００３５】
以下、本発明の実施形態を、図面を参照して詳細に説明する。
【００３６】
図１は、本発明にかかる印刷システムの全体構成を示すブロック図である。
【００３７】
本実施形態の印刷システムは、ネットワーク端末としてのＰＣ（パーソナルコンピュータ）１００と、ＭＦＰ（Ｍｕｌｔｉ−Ｆｕｎｃｔｉｏｎ  Ｐｅｒｉｐｈｅｒａｌ）２００とを備え、これらはネットワーク３００を介して相互に通信可能に接続されている。
【００３８】
ネットワーク３００は、イーサネット（登録商標）、トークンリング、ＦＤＤＩ等の規格によりコンピュータやネットワーク機器同士を接続したＬＡＮや、ＬＡＮ同士を専用線で接続したＷＡＮ等からなる。なお、ネットワーク３００に接続される機器の種類および台数は、図１に示す例に限定されない。また、ＰＣ１００とＭＦＰ２００とは、ネットワーク３００を介することなく直接機器間で接続（ローカル接続）されていてもよい。
【００３９】
図２は、図１に示されるＰＣ１００の構成を示すブロック図である。本実施形態のＰＣ１００は、ＣＰＵ１０１、メモリ１０２、ＨＤＤ（ハードディスク）１０３、ディスプレイ１０４、入力装置１０５、および通信Ｉ／Ｆ（インタフェース）部１０６を備えており、これらは信号をやり取りするためのバス１０７を介して相互に接続されている。
【００４０】
ＣＰＵ１０１は、プログラムにしたがって、上記各部の制御（たとえば、画像データ作成指示等）や各種の演算処理（たとえば、ページ記述言語に変換する処理等）を行う。
【００４１】
メモリ１０２は、各種プログラムや各種データを格納するためのＲＯＭ、ワークエリアとして一時的にプログラムやデータを記憶するためのＲＡＭ等から構成される。また、メモリ１０２は、たとえば、ＤＲＡＭ（Ｄｙｎａｍｉｃ  Ｒａｎｄｏｍ  Ａｃｃｅｓｓ  Ｍｅｍｏｒｙ）により構成されうる。
【００４２】
ＨＤＤ１０３は、オペレーティングシステムを含む各種プログラムや各種データを格納する。ＨＤＤ１０３には、文書データ（カーボンコピーの元となるデータ）を作成、選択または再現したり、文書データを基にカーボンコピーの画像データを作成および設定したりするための各種アプリケーションがインストールされている。また、作成された文書データをＭＦＰ２００が解釈可能なページ記述言語（ＰＤＬ：Ｐａｇｅ  Ｄｅｓｃｒｉｐｔｉｏｎ  Ｌａｎｇｕａｇｅ）で記述されたＰＤＬデータに変換したり、カーボンコピー毎に出力先設定などの印刷設定をしたりするためのプリンタドライバがインストールされている。また、ＨＤＤ１０３は、文書データに基づいて作成された複数種類の画像データを格納でき、格納された画像データはＣＰＵ１０１によって必要に応じてメモリ１０２上に読み出され、メモリ１０２上で処理されうる。
【００４３】
ディスプレイ１０４は、ＬＣＤ、ＣＲＴディスプレイ等であり、各種の情報の表示に使用される。入力装置１０５は、マウス等のポインティングデバイスやキーボードを含み、各種情報の入力に使用される。
【００４４】
通信Ｉ／Ｆ部１０６は、外部機器と通信するためのインタフェースであり、イーサネット（登録商標）、トークンリング、ＦＤＤＩ等の規格によるネットワークインタフェース、ＵＳＢ、ＩＥＥＥ１３９４等のシリアルインタフェース、ＳＣＳＩ、ＩＥＥＥ１２８４等のパラレルインタフェース、ＢＬＵＥＴＯＯＴＨ（登録商標）、ＩＥＥＥ８０２．１１、ＨｏｍｅＲＦ、ＩｒＤＡ等の無線通信インタフェース、電話回線に接続するための電話回線インタフェース等を利用することができる。
【００４５】
図３は、図１に示されるＭＦＰ２００の構成を示す概略正面図である。本実施形態のＭＦＰ２００は、制御部２０１、ＡＤＦ（Ａｕｔｏ  Ｄｏｃｕｍｅｎｎｔ  Ｆｅｅｄｅｒ）２１０、画像読取部２２０、操作部２３０、給紙部２４０、画像形成部２５０、排紙部２６０、および複数の排紙トレイ２６１〜２６３を備えている。これらは信号をやり取りするためのバスを介して相互に接続されている。
【００４６】
ＡＤＦ２１０は、セットされた単数枚または複数枚の原稿を１枚ずつ画像読取部２２０の所定の読み取り位置まで順次搬送し、そして画像読み取り後の原稿を順次排出する。
【００４７】
画像読取部２２０は、所定の読み取り位置にセットされた原稿またはＡＤＦ２１０により所定の読み取り位置に搬送された原稿に蛍光ランプ等の光源で光を当て、その反射光をＣＣＤイメージセンサ等の撮像装置で光電変換して、その電気信号から画像データを生成する。
【００４８】
操作部２３０は、タッチパネル、テンキー、スタートボタン、ストップボタン等を備えており、各種情報の表示および各種設定の入力に使用される。
【００４９】
給紙部２４０は、印刷に使用される記録媒体としての用紙を収容し、収容された用紙を１枚ずつ画像形成部２５０に送り出す。給紙部２４０は複数部からなり、印刷用途別に用紙サイズ、色、紙質を選択できるように構成されうる。
【００５０】
画像形成部２５０は、帯電、露光、現像、転写および定着の各工程を含む電子写真式プロセス等の周知の作像プロセスを用いて、各種データに基づく画像を用紙上に印刷する。
【００５１】
排紙部２６０は、画像形成部２５０から搬送される用紙を、制御部２０１からの指示によりユーザの希望する後処理を加えて排出する。後処理には、用紙の束をステープルで綴じるステープル処理、用紙の端部にファイリング用の穴をあけるパンチ穴あけ処理、用紙を束ねて本の形に作り上げる製本処理、用紙を折る折り加工処理、および用紙の端部を切断するトリマ処理などが挙げられる。なお、排紙部２６０は、後処理機能がなく単に用紙を排出するものでもよい。また、排紙部２６０は複数の排紙トレイ２６１〜２６３（それぞれ出力トレイ１〜３とする）を有し、用途毎のカーボンコピー印刷物を異なる排紙トレイ２６１〜２６３に排紙させるように指定できる。
【００５２】
図４は、図１に示されるＭＦＰ２００の構成を示すブロック図である。制御部２０１は、ＣＰＵ２０２、メモリ２０３、ＨＤＤ２０４、通信Ｉ／Ｆ部２０５を含む。これらは信号をやり取りするためのバスを介して相互に接続されている。なお、ＭＦＰ２００の上記各部のうち、ＰＣ１００の上記各部と同様の機能を有する部分については、説明の重複を避けるためその説明を省略する。
【００５３】
ＣＰＵ２０２は、プログラムにしたがって、上記各部の制御または各種の演算処理（たとえば、ラスタライズ処理等）を行う。
【００５４】
ＨＤＤ２０４は、オペレーティングシステムを含む各種プログラムや各種データを格納する。ＨＤＤ２０４には、ＰＣ１００から受信したＰＤＬデータを翻訳してビットマップ形式の画像データを生成するためのプリンタドライバとしてのプログラムと、ビットマップ形式の画像データを編集、加工、または合成することにより画像を形成するためのプログラムとが格納されている。
【００５５】
通信Ｉ／Ｆ部２０５は、ＰＣ１００との間でＬＡＮ（Ｌｏｃａｌ  Ａｒｅａ  Ｎｅｔｗｏｒｋ）を介してデータの送受信を行う入出力装置である。すなわち、通信Ｉ／Ｆ部２０５は、ＰＣ１００と接続を確立し、各種ネットワークプロトコルによりデータの送受信を行う。
【００５６】
なお、ＰＣ１００およびＭＦＰ２００は、それぞれ上述した構成要素以外の構成要素を含んでいてもよく、あるいは、上述した構成要素のうちの一部が含まれていなくてもよい。
【００５７】
（カーボンコピー印刷設定手順）
図５〜１０を参照して、カーボンコピー画像データについて印刷設定するための手順を詳細に説明する。
【００５８】
図５は本実施形態にかかるプリンタドライバによる処理のフローチャートを示す図、図６は作成されたカーボンコピー画像データの例を示す図である。特に、図６では、「顧客用」、「処理用」、および「控え用」の異なる３つの用途別に作成されたカーボンコピー画像データの例を示している。
【００５９】
本実施形態では、まず、ユーザによるプリンタドライバの起動後、カーボンコピー印刷設定する対象としての、カーボンコピー画像データが受信される（ステップＳ１０１）。カーボンコピー画像データは、カーボンコピー毎の画像データとしてユーザにより別途作成された画像データであり、図６について後述するように、顧客名、住所、金額などのデータ、およびカーボンコピー毎の所定のフォーマットを含む。このようなカーボンコピー画像データは、ＰＣ１００にインストールされた各種アプリケーションによって作成されうる。各種アプリケーションの例としては、マイクロソフトＷｏｒｄ（登録商標）、Ｅｘｃｅｌ（登録商標）、ＰｏｗｅｒＰｏｉｎｔ（登録商標）のほか、専用のアプリケーションがある。
【００６０】
図６を参照すると、ユーザは、名前、住所などのデータを入力装置１０５を用いて入力し、カーボンコピー画像データを作成する。また、ユーザは、客に渡すための顧客用、事務処理に使うための処理用、記録に取っておくための控え用等のカーボンコピーの用途毎に、所望の欄のレイアウトを追加できる。たとえば、処理用カーボンコピーについて、処理担当部署を示す欄、確認印を押すための欄を追加できる。また、控え用カーボンコピーについて、受付担当者名を示す欄を作成できる。このように作成された画像データについて、一部を隠蔽するマスク処理、背景色を変更する処理、他の画像データを合成する処理等その他の処理を行うようにしてもよい。
【００６１】
続いて、共通出力設定が行われる（ステップＳ１０２）。共通出力設定は、たとえば、全てのカーボンコピーに共通の用紙サイズ設定、フォーマット設定、背景色設定等を含む。
【００６２】
続いて、「顧客用」のカーボンコピーについての印刷設定をするか否かが判断される（ステップＳ１０３）。ここでは、後述の図７に示される印刷設定画面が起動された後、顧客用のカーボンコピーについて印刷設定するためのタブ３０１が選択され、上記ステップＳ１０２で設定される共通設定以外の、顧客用のカーボンコピーについて印刷設定するか否かが判断される。顧客用のカーボンコピーについて印刷設定されることなく「処理用」または「控え用」のカーボンコピー印刷設定のためのタブ３０２または３０３が選択された場合、顧客用のカーボンコピーについて印刷設定しないと判断される（ステップＳ１０３：ＮＯ）。または、「キャンセル」ボタンが押下（クリック）されると、印刷設定されることなく、処理は終了される。カーボンコピー印刷設定するための画面およびタブ３０１〜３０３については、後述する。
【００６３】
一方、顧客用のカーボンコピーについて印刷設定しないと判断されない場合（ステップＳ１０３：ＹＥＳ）、顧客用のカーボンコピーについての印刷設定、特に出力先の指定が行われる（ステップＳ１０４）。このステップでは、図７に示される印刷設定画面において、ユーザにより所望の印刷設定が指定され、「ＯＫ」ボタンが押下されることにより指定された印刷設定が確定され、顧客用のカーボンコピーについて印刷設定したと判断される。
【００６４】
続いて、「処理用」のカーボンコピーについて印刷設定するか否かが判断される（ステップＳ１０５）。処理用のカーボンコピーについて印刷設定されることなく「顧客用」または「控え用」のカーボンコピー印刷設定のためのタブ３０１または３０３が選択された場合、処理用のカーボンコピーについて印刷設定しないと判断される（ステップＳ１０５：ＮＯ）。または、「キャンセル」ボタンが押下されると、印刷設定されることなく、処理は終了される。
【００６５】
一方、処理用カーボンコピーについて印刷設定しないと判断されない場合（ステップＳ１０５：ＹＥＳ）、処理用のカーボンコピーについての印刷設定、特に出力先および挿入紙の設定が行われる（ステップＳ１０６）。このステップでは、後述の図８に示される印刷設定画面においてタブ３０２が選択され、ユーザにより所望の印刷設定が指定され、「ＯＫ」ボタンが押下されることにより指定された印刷設定が確定され、処理用のカーボンコピーについて印刷設定したと判断される。
【００６６】
続いて、「控え用」のカーボンコピーについて印刷設定するか否かが判断される（ステップＳ１０７）。ここでは、控え用のカーボンコピーについて印刷設定されることなく「顧客用」または「処理用」のカーボンコピー印刷設定のためのタブ３０１または３０２が選択された場合、処理用のカーボンコピーについて印刷設定しないと判断される（ステップＳ１０７：ＮＯ）。または、「キャンセル」ボタンが押下されると、印刷設定されることなく、処理は終了される。
【００６７】
一方、控え用カーボンコピーについて印刷設定しないと判断されない場合（ステップＳ１０７：ＹＥＳ）、控え用のカーボンコピーについての印刷設定、特に出力先および後処理の設定がなされる（ステップＳ１０８）。このステップでは、後述の図１０に示される印刷設定画面においてタブ３０３が選択され、ユーザにより所望の印刷設定が指定され、「ＯＫ」ボタンが押下されることにより指定された印刷設定が確定され、処理用のカーボンコピーについて印刷設定したと判断される。
【００６８】
続いて、全てのカーボンコピーについての印刷設定が完了したか否かが判断される（ステップＳ１０９）。全てのカーボンコピー印刷設定画面において「ＯＫ」ボタンが押下され印刷設定が確定されていない場合、つまり、全てのカーボンコピーについて印刷設定が完了していないと判断された場合（ステップＳ１０９：ＮＯ）、ステップＳ１０３の処理に戻り、カーボンコピーについて印刷設定するか否かを判断する処理が繰り返される。
【００６９】
一方、全ての印刷設定が完了していると判断される場合（ステップＳ１０９：ＹＥＳ）、設定された印刷データが送信される（ステップＳ１１０）。このステップでは、全てのカーボンコピーについての画像データ、および、ステップＳ１０４、１０６または１０８において指定された印刷設定が、ＰＣ１００にインストールされたプリンタドライバにより図１１に例示されるＰＤＬに変換されて、ＰＣ１００からＭＦＰ２００にネットワーク３００を介して印刷データとして送信される。印刷データが送信されて、カーボンコピー印刷設定する処理は終了される。
【００７０】
（カーボンコピー印刷設定画面）
上述のステップＳ１０４、１０６および１０８におけるカーボンコピー印刷設定するための印刷設定画面について詳細に説明する。本実施形態においては、印刷設定画面が出力部指定手段として構成される。
【００７１】
図７は顧客用カーボンコピーについて印刷設定するための印刷設定画面（プリンタドライバ設定画面）の一例を示す図である。
【００７２】
カーボンコピーパターン画像データについて印刷設定するために、まず、図７に示されるような「カーボンコピー印刷設定画面」（プリンタドライバ設定画面）が起動される。カーボンコピー印刷設定画面は、ディスプレイ１０４に表示され、入力装置１０５により当該設定画面上における入力操作ができる。
【００７３】
図７に示されるように、カーボンコピー印刷設定画面（ウィンドウ）３００は、ユーザが希望する各カーボンコピー画像データ（顧客用、処理用、控え用）に対応する複数のタブ３０１〜３０３から構成されている。タブ３０１〜３０３を選択することで、各種カーボンコピーの設定画面に切り替わる。
【００７４】
タブ３０１が選択されると、「顧客用」カーボンコピー画像データについて印刷設定するための画面（以下、顧客用カーボンコピー設定画面）が表示される。顧客用カーボンコピー設定画面には、カーボンコピー画像データの仕上がりの様子がわかるように、プレビュー画面３０４が設けられている。また、顧客用カーボンコピー設定画面のプレビュー画面３０４の右側には、排紙先を設定するための排紙部設定項目３０５が設けられている。顧客用カーボンコピーの排紙先を指定するための排紙部設定項目３０５はプルダウンメニューとして構成され、ユーザは、当該プルダウンメニューにリストされる、排紙先としての出力トレイ１〜３を指定できる。また、顧客用カーボンコピー設定画面には、「ＯＫ」および「キャンセル」ボタンが構成される。「ＯＫ」ボタンが押下されることにより指定された印刷設定が確定され、「キャンセル」ボタンが押下されることにより印刷設定するための処理が終了される。
【００７５】
なお、タブ３０１〜３０３は、カーボンコピーの用途数に対応する数だけ構成される。すなわち、ユーザは、希望する用途の数だけカーボンコピーについての画像データを作成でき、当該数だけタブ画面が構成されうる。
【００７６】
図８は処理用カーボンコピーについて印刷設定するための印刷設定画面（プリンタドライバ設定画面）の一例を示す図、図９はカーボンコピー印刷設定時のエラー表示画面の一例を示す図である。
【００７７】
タブ３０２が選択されると、図８に示される「処理用」カーボンコピー画像データについて印刷設定するための画面（以下、処理用カーボンコピー設定画面）に切り替わる。
【００７８】
なお、処理用カーボンコピー設定画面を構成する各種設定項目のうち、上記顧客用カーボンコピー設定画面と同一の項目については、説明を省略する。
【００７９】
処理用カーボンコピー設定画面は、排紙部設定項目３０６および紙挿入設定項目３０９を含む。排紙部設定項目３０６において、「処理用」カーボンコピーの出力先としての排紙部を設定できる。紙挿入設定項目３０９において、処理用カーボンコピーが出力されるときに挿入紙を挿入するための条件を指定できる。
【００８０】
排紙部設定項目３０６は、単一の排紙先として排紙部を設定するための主排紙部設定項目３０７、および、排紙先を分割して出力するための排紙部分割設定項目３０８を含む。主排紙部設定項目３０７では、出力先として顧客用カーボンコピーについて指定されていない出力トレイ１〜３を指定できる。また、排紙先としてその他の排紙先を同時に指定したい場合、排紙部分割設定項目３０８において主排紙部設定項目３０７で指定されていない１または２つの出力先が設定されうる。このとき、排紙先を分割するときの条件として、どの時間単位で排紙先を変更するのか、いくつの出力部数単位で排紙先を変更するのかが設定されうる。
【００８１】
主排紙部設定項目３０７において指定される出力トレイが、たとえば顧客用カーボンコピー設定画面で確定された排紙部と重複して指定された場合、図９に示されるような警告手段としてのエラーメッセージ３１０が表示される。エラーメッセージ３１０は、排紙部が重複して指定されたことにより、指定された排紙部は設定不可である旨を警告する。このように、本実施形態では、カーボンコピーの異なる用途毎に出力先を設定するので、異なるカーボンコピーについて同一の排紙先が重複して設定されることが防止される。すなわち、このようなエラーメッセージが表示されることにより、用途別のカーボンコピーの出力先が、確実に異なるようにすることができる。
【００８２】
なお、エラーメッセージの代わりに、主排紙部設定項目３０７において、他のカーボンコピーの出力先として確定された排紙部が指定されないようにしてもよい。たとえば、メニュー表示手段としての、主排紙部設定項目３０７のプルダウンメニュー内において、確定された排紙部をグレーアウトさせて表示させてもよい。グレーアウトされて表示された排紙部が選択不可である項目として表示されるので、確定された排紙部が選択されることがなく、重複して排紙部が指定されることが防止される。
【００８３】
処理用カーボンコピー設定画面において、「処理用」カーボンコピーについて印刷設定された後、「ＯＫ」ボタンが押下されることにより、指定された印刷設定が確定される。また、「キャンセル」ボタンが押下されることにより印刷設定するための処理が終了される。
【００８４】
図１０は、「控え用」カーボンコピーについて印刷設定するための印刷設定画面（プリンタドライバ設定画面）の一例を示す図である。
【００８５】
タブ３０３が選択されると、図１０に示される「控え用」カーボンコピー画像データについて印刷設定するための画面（以下、控え用カーボンコピー設定画面）に切り替わる。
【００８６】
なお、控え用カーボンコピー設定画面を構成する各種設定項目のうち、上記顧客用カーボンコピー設定画面または処理用カーボンコピー設定画面と同一の項目については、説明を省略する。
【００８７】
控え用カーボンコピー設定画面は、後処理を設定するための後処理設定項目３１１をさらに含む。ユーザは、後処理設定項目３１１を通して、控え用カーボンコピーに対してパンチ穴を形成するか否かを指定でき、さらにパンチ穴を形成する場合、その位置を指定できる。
【００８８】
なお、控え用カーボンコピー設定画面においても、顧客用カーボンコピー設定画面または処理用カーボンコピー設定画面において確定された出力先と重複して同一の出力先が指定された場合、図９に示されたエラーメッセージ３１０と同様のエラーメッセージを表示させうる。また、顧客用カーボンコピー設定画面においても、処理用カーボンコピー設定画面または控え用カーボンコピー設定画面で確定された出力先と重複して同一の出力先が指定された場合、同様のエラーメッセージを表示させうる。
【００８９】
（印刷データ）
ステップＳ１１０で作成された印刷データについて説明する。
【００９０】
図１１は画像データおよびカーボンコピー印刷設定が変換されて作成されたＰＤＬの記述例を示す図である。
【００９１】
図１１に示される通り、ＰＤＬデータ４００は、複数の異なる用途別のカーボンコピーについて定義されたカーボンコピーオブジェクト４０１、４０４および４０６を含む。各々のカーボンコピーオブジェクト４０１、４０４および４０６は、カーボンコピーの用途毎に、出力設定オブジェクト４０２、４０５および４０７、ならびに、画像データオブジェクトを含む。各々の出力設定オブジェクト４０２、４０５および４０７は、用途毎のカーボンコピーの出力設定について定義し、排紙先の設定および後処理の設定について定義するオブジェクトを含む。画像データオブジェクトは、用途毎のカーボンコピーの画像データについて定義し、描画に必要なオブジェクトを適宜含むことができる。
【００９２】
「処理用」カーボンコピーについて定義されたカーボンコピーオブジェクト４０１は、出力設定オブジェクト４０２および画像データオブジェクト４０３を含む。出力設定オブジェクト４０２内の“＜出力トレイ＞トレイ２＜／出力トレイ＞”の記述から、「処理用」カーボンコピーについては、ステップＳ１０６で処理用カーボンコピー設定画面において、排紙先設定として“出力トレイ２”が指定されたことがわかる。また、“＜紙挿入＞ＯＮ−２枚毎＜／紙挿入＞”の記述から、出力時の紙挿入の設定として、印刷出力用紙“２枚毎”に挿入紙が挿入されるように指定されたことがわかる。
【００９３】
「控え用」カーボンコピーについて定義されたカーボンコピーオブジェクト４０４は、出力設定オブジェクト４０５および画像データオブジェクトを含む。出力設定オブジェクト４０５内の“＜出力トレイ＞トレイ３＜／出力トレイ＞”の記述から、「控え用」カーボンコピーについては、ステップＳ１０８で控え用カーボンコピー設定画面において、排紙先の設定として“出力トレイ３”が指定されたことがわかる。また、“＜パンチ＞ＯＮ−右辺＜／パンチ＞”の記述から、後処理の設定として用紙“右辺”にパンチ穴を施すように指定されたことがわかる。
【００９４】
「顧客用」カーボンコピーについて定義されたカーボンコピーオブジェクト４０６は、出力設定オブジェクト４０７および画像データオブジェクトを含む。出力設定オブジェクト４０７内の“＜出力トレイ＞トレイ１＜／出力トレイ＞”の記述から、「顧客用」カーボンコピーについては、ステップＳ１０４で顧客用カーボンコピー設定画面において、排紙先として“出力トレイ１”が指定されたことがわかる。
【００９５】
また、本実施形態では、印刷データのカーボンコピーオブジェクト４０１、４０４および４０６の記述順は、印刷順指定手段としてのプリンタドライバ等を介して、ユーザによって任意に設定されうる。後述のように印刷データを受信したＭＦＰ２００はカーボンコピーオブジェクトの記述された順に印刷処理を実行するので、用途毎のカーボンコピーを指定順に排紙させることができる。したがって、カーボンコピーの排紙を確認するユーザは、当該指定順に排紙されたカーボンコピーの用途の明確な判別をすることができるようになる。さらに、１種類のカーボンコピーが先に処理されなくてはならず、他種類のカーボンコピーが確実に処理されなくてはならない等のカーボンコピーについて事務処理上の制約がある場合、各々のカーボンコピーについての印刷データの記述順を適宜設定することによって、用途に適ったカーボンコピーをより確実かつタイムリーに仕分けすることができるようになる。
【００９６】
（カーボンコピー印刷出力）
図１２および１３を参照して、カーボンコピー印刷出力するための手順を詳細に説明する。
【００９７】
図１２はＰＤＬを受信したプリンタによる処理を示したフローチャート、図１３は作成された印刷物の一例を示す図である。
【００９８】
まず、ＭＦＰ２００は、カーボンコピー印刷データを受信する（ステップＳ２０１）。上述したように、ステップＳ１１０においてカーボンコピー画像データはＰＤＬに変換され、ＰＣ１００からＭＦＰ２００に印刷データとして送信される。
【００９９】
続いて、図１１について上述に説明された印刷データが、ＭＦＰ２００によって解析される（ステップＳ２０２）。本実施形態では、カーボンコピー毎に印刷処理がなされるので、図１１に示されたカーボンコピーオブジェクト４０１、４０４および４０６の記述順に印刷処理が実行される。
【０１００】
続いて、所定のカーボンコピーの画像データがラスタライズされ、画像が画像データに基づいて印刷される（ステップＳ２０３）。
【０１０１】
続いて、所定の印刷されたカーボンコピーについて後処理が必要か否かが判断される（ステップＳ２０４）。このステップでは、印刷データ内の出力設定オブジェクト内に後処理についての記述が含まれているか否かが判断される。後処理についての記述が含まれないと判断された場合（ステップＳ２０４：ＮＯ）、ステップＳ２０６に進む。
【０１０２】
一方、後処理についての記述が含まれると判断された場合（ステップＳ２０４：ＹＥＳ）、印刷データのＰＤＬの記述について上述の通り、所定の後処理が出力設定オブジェクトに記述された内容に従って、排紙部２６０においてなされる（ステップＳ２０５）。
【０１０３】
続いて、印刷物が所定の出力トレイから排紙される（ステップＳ２０６）。ここでは、印刷データのＰＤＬの記述について上述の通り、排紙先についての出力設定オブジェクトに記述された内容に従って、出力トレイ１〜３のいずれかから、カーボンコピーが排紙される。
【０１０４】
続いて、全てのカーボンコピーについて排紙されたか否かが判断される（ステップＳ２０７）。依然印刷および排紙されていないカーボンコピーがあると判断される場合（ステップＳ２０７：ＮＯ）、ステップＳ２０２の処理に戻り次のカーボンコピーについての印刷処理が実行される。
【０１０５】
一方、全てのカーボンコピーについて印刷され排紙されたと判断される場合（ステップＳ２０７：ＹＥＳ）、印刷処理が終了される。
【０１０６】
図１３は、作成された印刷物の一例を示す図である。顧客用カーボンコピーについては、後処理がなされていないが、処理用および控え用カーボンコピーについては、紙挿入処理または後処理がなされていることがわかる。処理用カーボンコピーについては挿入紙がカーボンコピー２枚毎に挿入されており、また、控え用カーボンコピーについてはパンチ穴をページ右辺に開ける後処理が施されていることがわかる。
【０１０７】
以上のように、本実施形態では、用途別に作成されるカーボンコピーについて、用途に合わせて異なる出力先を設定できる。したがって、用途毎に排紙されたカーボンコピーを所定の部署等に仕分けする際、所望の仕分け先とは異なる仕分け先にカーボンコピーが仕分けされないようにカーボンコピー毎に出力先の設定を行うことができる。また、本実施形態では、カーボンコピーについての印刷データの記述順を適宜設定することができるので、用途に適ったカーボンコピーをより確実かつタイムリーに仕分けすることができる。したがって、用途毎のカーボンコピーについての事務処理をより容易、確実かつ速やかにすることが可能となる。
【０１０８】
なお、本実施形態では、出力トレイが３つ構成される画像形成装置について説明したが、図１４に示されるように、出力トレイの代わりに印刷物をスタックして保存できる排紙部５６１および５６２を構成してもよい。また、出力トレイまたは印刷物をスタック保存する排紙部の数は、２つ以上の任意の数を構成可能である。また、印刷物をスタック保存する排紙部を使用することにより、当該排紙部に施錠機能を持たせて、仕分け間違いを防止することもできる。
【０１０９】
なお、上記実施形態において、カーボンコピーオブジェクトの記述順をユーザによって指定できると述べた。具体的には、図１５に示されるように、ユーザにより、カーボンコピーについての出力（排紙）順が、カーボンコピー印刷設定画面３００内に構成される出力順指定項目３２０において、チェックをつけて指定されることにより達成されうる。当該出力順についての指定はプリンタドライバにより受け付けられ、各々のカーボンコピーに対応するカーボンコピーオブジェクトが、当該指定された出力順に従って印刷データ内において記述される。当該印刷データはＭＦＰ２００により受け付けられ、カーボンコピーは当該出力順に排紙部２６１〜２６３のいずれかから排紙される。出力順指定項目３２０にチェックがなく出力順が指定されない場合、出力順はデフォルトに設定される。デフォルトの出力順とは、たとえば、カーボンコピー印刷設定画面３００内におけるタブ３０１〜３０３の並び順である。
【０１１０】
また、図１６に示されるように、ユーザは、出力される印刷物について即使用予定か否かを即使用予定指定項目３２１において指定することができる。即使用予定の指定がされたカーボンコピーについては、出力順として早い順番に出力されるとみなすことにより、即使用予定の印刷物を早い順に印刷させることができる。なお、複数のカーボンコピーについて即使用予定が指定された場合、即使用予定が指定されたカーボンコピーのうち、即使用予定について指定操作のなされた順に出力されるようにしてもよい。
【０１１１】
また、出力順が早いものとして指定されたカーボンコピーのみを直ぐに印刷出力し、その他の即使用予定のないカーボンコピーを記述するカーボンコピーオブジェクトを含む印刷データについては、記憶部に一時的に保存（記憶）させておくことができる。具体的には、図１７に示されるように、一時保存指定項目３２２においてチェックをつけることにより、即使用予定のないカーボンコピーについてのカーボンコピーオブジェクトを含む印刷データを、後で読み出せるように保存させておくことができる。この場合、当該印刷データは、記憶部であるＨＤＤ１０３またはＨＤＤ２０４等に一時的に保存される。また、一時的に保存された印刷データについては、所望のタイミングでまとめて排紙させうる。所望のタイミングとは、たとえば、ユーザによる任意のタイミング、所定部数の印刷物が印刷された後、所定時間後等である。所定部数または所定時間が排紙タイミング指定項目３２３において指定された場合、印刷出力する際に、紙挿入するための項目にチェックをつけて、当該所定部数毎または所定時間毎に、図１３に示されたものと同様な挿入紙を印刷物間に挿入して出力させうる。
【０１１２】
なお、図５のステップＳ１０２の共通出力設定は省略されてもよく、代わりに、ステップＳ１０４、１０６、１０８においてカーボンコピー毎に個別に行われてもよい。
【０１１３】
上記実施形態では、印刷設定画面がＰＣ１００のディスプレイ１０４に表示され、入出力装置１０５により設定される形態について述べたが、これに限られない。印刷設定画面をＭＦＰ２００の操作パネル２３０上に表示させ、当該操作パネル２３０を通して印刷設定させるように構成してもよい。
【０１１４】
なお、同一の排紙先が設定されることによるエラーメッセージ３１０は、処理用カーボンコピー設定画面について表示される実施形態を述べたが、これに限られない。すなわち、ユーザにより印刷設定を確定した順序に応じて、先に確定された排紙先と同一の排紙先が指定された場合、いかなる設定画面においてもエラーメッセージ３１０を表示させるようにできる。また、エラーメッセージを表示させるための条件も、排紙先についての設定に限らず任意に設定できる。
【０１１５】
出力先の指定を制限する手段としてエラーメッセージまたはプルダウンメニューについて説明したが、これに限られない。その他のユーザインタフェースによりユーザ入力が制限されてもよい。
【０１１６】
また、ＰＤＬの記述様式として、図１１に一形態を例示したが、これに限られない。任意の記述様式が使用されてもよい。
【０１１７】
カーボンコピーに設定される設定項目としては、上記実施形態では具体例を用いて説明したが、本発明は上述の設定項目に限られるものではなく、その他の項目を設定できるようにしてもよい。当然、設定情報を設定するための設定画面も、上述した形態に限られるものではない。
【０１１８】
上記実施形態では、カーボンコピーの印刷設定についての処理がプリンタドライバによって行われる場合について説明したが、プリンタドライバではなくアプリケーションによって行われることもできる。
【０１１９】
本実施形態にかかる印刷システムにおける各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、印刷システムの一機能としてその装置のソフトウエアに組み込まれてもよい。
【符号の説明】
【０１２０】
１００  ＰＣ、
１０１，２０２  ＣＰＵ、
１０２，２０３  メモリ、
１０３，２０４  ＨＤＤ、
１０４  ディスプレイ、
１０５  入力装置、
１０６，２０５  通信Ｉ／Ｆ部、
２００，５００  ＭＦＰ、
２０１，５０１  制御部、
２１０，５１０  ＡＤＦ、
２２０，５２０  画像読取装置、
２３０，５３０  操作部、
２４０，５４０  給紙部、
２５０，５５０  画像形成部、
２６０，５６０，５６１，５６２  排紙部、
２６１〜２６３，５６３  出力トレイ、
３００  印刷設定画面、
３０１〜３０３  タブ、
４００  ＰＤＬデータ。
【図１】
2012043012.tif 000003
【図２】
2012043012.tif 000004
【図３】
2012043012.tif 000005
【図４】
2012043012.tif 000006
【図５】
2012043012.tif 000007
【図１２】
2012043012.tif 000008
【図１４】
2012043012.tif 000009
【図６】
2012043012.tif 000010
【図７】
2012043012.tif 000011
【図８】
2012043012.tif 000012
【図９】
2012043012.tif 000013
【図１０】
2012043012.tif 000014
【図１１】
2012043012.tif 000015
【図１３】
2012043012.tif 000016
【図１５】
2012043012.tif 000017
【図１６】
2012043012.tif 000018
【図１７】
2012043012.tif 000019